(57)【要約】【課題】  使用場所の状況に応じて容易に大きさを調節可能なハンモックを提供する。【解決手段】    ハンモック支持構造体１１は、床上に載置されて前後方向に延びるベース部材１２と、その下端部がベース部材１２の前方端部および後方端部に回動可能に連結されて上下方向に延びる１対の柱部材１３，１４と、各柱部材１３，１４上を上下方向にスライド可能に設けられた１対のスライド部材１５，１６と、その上端部がスライド部材１５，１６に回動可能に連結され、その下端部がベース部材１２に回動可能に連結された１対の角度調整部材１７，１８とを備える。【選択図】      図２
2007044211.tif 000002
【特許請求の範囲】
【請求項１】
ハンモック本体を吊るすためのハンモック支持構造体であって、
床上に載置されて前後方向に延びるベース部材と、
その下端部が前記ベース部材の前方端部および後方端部に回動可能に連結されて上下方向に延びる１対の柱部材と、
前記各柱部材上を上下方向にスライド可能に設けられた１対のスライド部材と、
その上端部が前記スライド部材に回動可能に連結され、その下端部が前記ベース部材に回動可能に連結された１対の角度調整部材と、
前記各柱部材に対する前記各スライド部材の動きを禁止するロック手段とを備える、ハンモック支持構造体。
【請求項２】
前記各柱部材は、前記ベース部材に対して鈍角をなす位置から、ベース部材上に重なる位置にまで回動可能である、請求項１に記載のハンモック支持構造体。
【請求項３】
前記ベース部材の前方端部および後方端部は、それぞれ、上方に向かって曲がった形状を有している、請求項１または２に記載のハンモック支持構造体。
【請求項４】
前記ベース部材の一方の端部の上方への曲がり量は、他方の端部の曲がり量よりも大きい、請求項３に記載のハンモック支持構造体。
【請求項５】
前記各柱部材は、上下方向に間隔をあけて設けられた複数の係合穴を有し、
前記ロック手段は、前記係合穴に係合し得るように前記スライド手段に支持されたロックピンを備える、請求項１〜４のいずれかに記載のハンモック支持構造体。
【請求項６】
前記ロック手段は、前記ロックピンを前記係合穴に向かって移動させるように付勢する弾性部材を備える、請求項５に記載のハンモック支持構造体。
【請求項７】
前記ベース部材は、間隔をあけて平行に配置された２本の水平棒を含み、
前記各柱部材は、その下端部が前記水平棒に回動可能に連結され、その上端部が互いに連結されて逆Ｖ字状の形態を呈する２本の縦棒を含む、請求項１〜６のいずれかに記載のハンモック支持構造体。
【請求項８】
前記２本の縦棒を、Ｖ字状の使用形態から、平行に位置する折畳み形態にまで変更することを可能にするように、前記２本の縦棒の上端部を接続するヒンジと、
屈曲可能な構造を有し、その両端が前記２本の縦棒に連結された幅寸法規制部材とを備える、請求項７に記載のハンモック支持構造体。
【請求項９】
前記ハンモック支持構造体は、鉄棒支持構造体およびブランコ支持構造体として使用可能である、請求項１〜８のいずれかに記載のハンモック支持構造体。
【発明の詳細な説明】
【技術分野】
【０００１】
この発明は、ハンモックを場所を問わず使用可能とするハンモック支持構造体に関するものである。
【背景技術】
【０００２】
従来のハンモックは、例えば、特開平７−１９４４３１号公報（特許文献１）に記載されている。このハンモック支持構造体１は、図１に示すように、床上に載置されて前後方向に延びるベース部材２と、下端部がベース部材２の前方端部および後方端部に回動可能に連結されて上下方向に延びる柱部材３と、柱部材の上端に係止され、左右に揺動可能なハンモック４とを備える。
【０００３】
上記構成のハンモック支持構造体１は、ハンモック４を係止するために柱や樹木等を必要としないので、場所を選ばずに使用可能であると記載されている。また、各構成部品毎に分解することにより、持ち運びおよび収納時にはコンパクトになり便利である旨が記載されている。
【特許文献１】特開平７−１９４４３１号公報
【発明の開示】
【発明が解決しようとする課題】
【０００４】
上記公報に記載されているハンモック１は、屋外での使用には問題はないが、長手方向の寸法を調節できないので、スペースの制約のある屋内での使用には適していない。また、収納時には各構成部品毎に分解するという煩雑な作業が必要であり、再使用時にも同様の作業が発生する。
【０００５】
そこで、この発明の目的は、使用場所の状況に応じて容易に大きさを調節可能なハンモックを提供することである。また、この発明の他の目的は、容易に使用状態と収納状態とに切替可能なハンモックを提供することである。
【課題を解決するための手段】
【０００６】
この発明は、ハンモック本体を吊るすためのハンモック支持構造体である。具体的には、床上に載置されて前後方向に延びるベース部材と、その下端部がベース部材の前方端部および後方端部に回動可能に連結されて上下方向に延びる１対の柱部材と、各柱部材上を上下方向にスライド可能に設けられた１対のスライド部材と、その上端部がスライド部材に回動可能に連結され、その下端部がベース部材に回動可能に連結された１対の角度調整部材と、各柱部材に対する各スライド部材の動きを禁止するロック手段とを備える。そして、各柱部材は、ベース部材に対して鈍角をなす位置から、ベース部材上に重なる位置にまで回動可能である。
【０００７】
上記構成のハンモック支持構造体は、長手方向の寸法を任意に調整可能であるので、屋外はもちろん、スペースに制約のある屋内においても使用可能となる。また、ハンモック支持構造体を使用しないときには１対の柱部材をベース部材上に重なるように折り畳むことができるので、収納場所の省スペース化を図ることもできる。
【０００８】
好ましくは、ベース部材の前方端部および後方端部は、それぞれ、上方に向かって曲がった形状を有している。さらに好ましくは、ベース部材の一方の端部の上方への曲がり量は、他方の端部の曲がり量よりも大きい。これにより、折り畳んだ状態で、２つの柱部をベース部材上にきれいに重なり合わせることができる。
【０００９】
各柱部材は、例えば、上下方向に間隔をあけて設けられた複数の係合穴を有し、ロック手段は、係合穴に係合し得るようにスライド手段に支持されたロックピンを備える。さらに好ましくは、ロック手段は、ロックピンを係合穴に向かって移動させるように付勢する弾性部材を備える。
【００１０】
上記構成の角度調整機構は、ベース部材および柱部材との連結状態を保ったままベース部材と柱部材との角度を調整することができる。その結果、構成部品の着脱等の煩雑な作業を伴わずに、長手方向の寸法を容易に変更可能なハンモック支持構造体を得ることができる。
【００１１】
ベース部材は、例えば、間隔をあけて平行に配置された２本の水平棒を含み、各柱部材は、その下端部が水平棒に回動可能に連結され、その上端部が互いに連結されて逆Ｖ字状の形態を呈する２本の縦棒を含む。そして、２本の縦棒を、Ｖ字状の使用形態から、平行に位置する折畳み形態にまで変更することを可能にするように、２本の縦棒の上端部を接続するヒンジと、屈曲可能な構造を有し、その両端が２本の縦棒に連結された幅寸法規制部材とを備えることが好ましい。
【００１２】
上記構成の幅寸法規制部材は、柱部材の２本の縦棒の幅が所定寸法以上に広がるのを防止できるので、ハンモックを安全に利用することができる。さらに、高さ方向に加えて、幅方向にも小さく折り畳むことが可能な構造となるので、収納状態においてさらにコンパクトなハンモック支持構造体を得ることができる。
【発明を実施するための最良の形態】
【００１３】
図２および図３を参照して、この発明の一実施形態に係るハンモック支持構造体１１を説明する。
【００１４】
図２（ａ）に示すハンモック支持構造体１１は、床上に載置されて前後方向に延びるベース部材１２と、その下端部がベース部材１２の前方端部１２ａおよび後方端部１２ｂに回動可能に連結されて上下方向に延びる１対の柱部材１３，１４と、各柱部材１３，１４上を上下方向にスライド可能に設けられた１対のスライド部材１５，１６と、その上端部がスライド部材１５，１６に回動可能に連結され、その下端部がベース部材１２に回動可能に連結された１対の角度調整部材１７，１８とを備える。そして、ハンモックの両端を柱部材１３，１４の上端の係止部１３ｆ，１４ｆに係止して使用する。
【００１５】
図２に示す実施形態において、ベース部材１２は、間隔をあけて平行に配置された２本の水平棒を含み、各柱部材１３，１４は、その下端部が水平棒に回動可能に連結され、その上端部が互いに連結されて逆Ｖ字状の形態を呈する２本の縦棒を含む。
【００１６】
上記構成のハンモック支持構造体１１は、スライド部材１５，１６の位置をずらして角度調整部材１７，１８の角度を変更することにより、柱部材１３，１４のベース部材１２に対する角度を任意に調整することができる。
【００１７】
図２は、使用状態で長手方向に最も短い状態、すなわちベース部材１２と柱部材１３，１４とが直角になった状態であるが、柱部材１３を、ベース部材１２に対して鈍角をなす位置、例えば、図中１３ａ，１３ｂ，１３ｃで示す角度位置にして使用することもできる。なお、柱部材１４も同様である。
【００１８】
さらに、柱部材１３，１４をベース部材１２上に重なる位置、すなわち図中１３ｄ，１４ｄに示す位置とすることにより、高さ方向に小さくして折り畳むことも可能である。このとき、２つの柱部材１３，１４をベース部材１２上にきれいに重ね合わせるように、ベース部材１２の前方端部１２ａおよび後方端部１２ｂを上方に向かって曲げて、前方端部１２ａの上方への曲がり量を、後方端部１２ｂの曲がり量よりも大きく設定する。
【００１９】
さらに、柱部材１３は、２本の縦棒の上端部を接続するヒンジ１９と、幅寸法規制部材としての屈曲可能なリンク２０を有し、２本の縦棒を、図３（ａ）に示すようなＶ字状の使用形態と、図３（ｂ）に示すような平行に位置する折畳み形態にまで変更することを可能にする。なお、この構造は、柱部材１４についても同様である。
【００２０】
上記構成のハンモック支持構造体１１は、長手方向の寸法を任意に調整可能であるので、屋外はもちろん、スペースに制約のある屋内においても使用可能となる。また、ハンモック支持構造体１１を使用しないときには小さく折り畳んで収納可能であるので、収納場所の省スペース化を図ることもできる。
【００２１】
次に、図４（ａ）および（ｂ）を参照して、ハンモック支持構造体１１に使用されるスライド部材１５の一例について説明する。
【００２２】
スライド部材１５は、図４（ａ）に示すように、柱部材１３に嵌合するスライダ本体１５ａと、角度調整部材１７を回動自在に連結する連結ピン１５ｄと、柱部材１３の所定位置からの動きを禁止するロック手段とを有する。
【００２３】
ロック手段の一例としては、例えば、図４（ｂ）に示すように、柱部材１３は、上下方向に間隔をあけて設けられた複数の係合穴１３ｅを有する。スライド部材１５は、係合孔１３ｅに係合し得るようなロックピン１５ｅと、スライダ本体１５ａに固定ピン１５ｃで固定され、ロックピン１５ｅを係合穴１３ｅに向かって移動させるように付勢する弾性部材としての板ばね１５ｂとを備える。
【００２４】
このスライド部材１５は、ロックピン１５ｅを外側に引くと係合穴１３ｅとの係合が解けて、柱部材１３に沿って移動可能となる。そして、任意の係合穴１３ｅ上でロックピン１５ｅを離すと板ばね１５ｂの弾性力によってロックピン１５ｅと係合穴１３ｅとが再び係合する。
【００２５】
これにより、角度調整部材１７の角度を調整することができる。具体的には、スライド部材１５を柱部材１３に沿って上に動かすと長手方向寸法が短くなり、下に動かすと長手方向寸法が長くなる。なお、スライド部材１６についても同様である。
【００２６】
上記構成の角度調整機構は、ベース部材１２および柱部材１３との連結状態を保ったままベース部材１２と柱部材１３との角度を調整することができる。その結果、構成部品の着脱等の煩雑な作業を伴わずに、長手方向の寸法を容易に変更可能なハンモック支持構造体１１を得ることができる。
【００２７】
なお、上記の実施形態においては、スライド部材１５のロックピン１５ｅと柱部材１３の係合穴１３ｅとを係合させることにより、スライド部材１５の位置決めをする例を示したが、これに限ることなく、例えば、スライド部材１５と柱部材１３の表面との摩擦によって位置決めすることとしてもよい。この場合には、ロックピン１５ｅに代えてスライド部材１５に柱部材１３の表面に当接するねじを設け、ねじのねじ込みによって摩擦力を調整することとしてもよい。
【００２８】
次に、図５（ａ）および（ｂ）を参照して、ハンモック支持構造体１１の柱部材１３に使用される幅寸法規制部材の一例を説明する。
【００２９】
幅寸法規制部材としてのリンク２０は、２つのリンク棒２０ａの一端２０ｃを互いに屈曲可能に連結し、他端２０ｄを柱部材１３の縦棒にそれぞれ回動自在に連結する。図５（ａ）に示すのは、柱部材１３の縦棒を逆Ｖ字状に保持した使用状態を示す図である。
【００３０】
また、リンク棒２０ａ同士の連結端２０ｃの上側にリンク２０が下向きに屈曲するのを防止する屈曲規制部材２０ｂを設ける。これにより、ハンモックに人が乗っても柱部材１３の角度がこれ以上大きくなることがないので、ハンモック支持構造体１１を安全に利用することができる。
【００３１】
一方、ハンモック支持構造体１１を幅方向に折り畳む場合には、図５（ｂ）に示すように、リンク２０を上向きに屈曲させて、柱部材１３を平行に保持することにより行う。なお、使用状態においてもリンク２０は上向きには自由に屈曲可能であるが、重力等により自然に上向きに屈曲することはないので、使用状態において問題となることはない。
【００３２】
上記構成の幅寸法規制機構も、構成部品の着脱等を伴わずに柱部材１３の幅を調整可能であるので、容易に使用状態と収納状態とに切替可能なハンモック支持構造体１１を得ることができる。なお、幅寸法規制機構は、柱部材１３，１４の縦棒が所定幅以上に広がるのを防止できればよいので、例えば、２本の縦棒に紐を渡すようなものであってもよい。
【００３３】
また、上記構成のハンモック支持構造体１１の他の効果として、角度調整部材により寝床部材１４の撓み量を用途に応じて調整することができる。具体的には、図６（ａ）に示すように、撓み量を少なくしてハンモックとして使用する場合や、図６（ｂ）に示すように、撓み量を大きくして揺り籠として使用する場合等が考えられる。または、図６（ｃ）に示すように、乳児期や幼児期においては、ハンモック支持構造体１１をベビーベット支持構造体として使用し、成長に応じて用途を変更することにより、継続して使用可能となる。
【００３４】
なお、本明細書中で用いた「ハンモック」という用語は、図６（ａ）および（ｂ）で示したような布製、または網製の吊床だけでなく、支持フレームによって支えられる、例えば、ボックス上のベッド等をも含むものとして理解されねばならない。
【００３５】
また、上記の実施形態におけるハンモック支持構造体は、ハンモックを支持するだけでなく、柱部材１３，１４の上端に鉄棒の両端をそれぞれ連結することにより、鉄棒支持構造体としても使用可能であり、さらに、鉄棒にブランコを吊り下げることによりブランコ支持構造体としても使用可能である。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３７】
この発明は、屋外および屋内のいずれでも使用可能なハンモックに有利に利用される。
【図面の簡単な説明】
【００３８】
【図１】従来のハンモックを示す斜視図である。
【図２】この発明の一実施形態に係るハンモックの正面図である。
【図３】この発明の一実施形態に係るハンモックの側面図であって、（ａ）は使用状態、（ｂ）は折り収納状態を示す図である。
【図４】この発明の角度調整機構に使用されるスライド部材の一例であって、（ａ）は正面図、（ｂ）は側断面図である。
【図５】この発明のハンモック支持構造体に使用される幅寸法規制部材の一例であって、（ａ）は使用状態、（ｂ）は収納状態を示す図である。
【図６】この発明の一実施形態に係るハンモック支持構造体の使用例を示す図であって、（ａ）はハンモックとして、（ｂ）は揺り籠として、（ｃ）はベビーベットとして使用する状態を示す図である。
【符号の説明】
【００３９】
１，１１  ハンモック支持構造体、２，１２  ベース部材、１２ａ  前方端部、１２ｂ  後方端部、３，１３，１３ａ，１３ｂ，１３ｃ，１３ｄ，１４，１４ａ，１４ｂ，１４ｃ，１４ｄ  柱部材、１３ｅ  係合穴、１３ｆ,１４ｆ  係止部、４、  ハンモック、１５，１６  スライド部材、１５ａ  スライダ本体、１５ｂ  板ばね、１５ｃ  固定ピン、１５ｄ  連結ピン、１５ｅ  ロックピン、１７，１８  角度調整部材、１９  ヒンジ、２０  幅寸法規制部材、２０ａ  リンク棒、２０ｂ  屈曲規制部材、２０ｃ，２０ｄ  リンク棒端部。
【図１】
2007044211.tif 000003
【図２】
2007044211.tif 000004
【図３】
2007044211.tif 000005
【図４】
2007044211.tif 000006
【図５】
2007044211.tif 000007
【図６】
2007044211.tif 000008